(57)【要約】【課題】カード受領者の興味をそそって、情報の伝達効果が向上するとともに、嵩張らない、封書などに適用可能な立体表示体を提供する。【解決手段】封書２１は、３つの折り用ミシン目３，４を介して連接した第１紙片５、第２紙片６、第３紙片７、第４紙片８からなる封書作成用シートを、各折り用ミシン目３，４で第１紙片５の宛名表示面が表出するようにジグザグ状に重ね合わせ、第１紙片５と第２紙片６、及び第３紙片７と第４紙片８の各重ね合わせ面は、立体表示部１０ａ，１０ｂ対応部分は剥離可能に、その他の部分は剥離可能または剥離困難に接着する一方、第２紙片６と第３紙片７の重ね合わせ面は見開き可能に接着してなり、見開き状態にすると各立体表示部１０ａ，１０ｂが立体的に起立し、立体表示情報１５ｂや表出情報１６ａ，１６ｂを見ることができる。【選択図】        図５
2004237486.tif 000002
【特許請求の範囲】
【請求項１】
シートを折り部で折り重ねてなり、開封して所定の重ね合わせ面を見開くと、立体的に起立する立体表示部を有し、各重ね合わせ面の前記立体表示部に対応する部分を密着してなることを特徴とする立体表示体。
【請求項２】
シートを折り部で折り重ねてなり、開封して所定の重ね合わせ面を見開くと、立体的に起立する立体表示部を有し、各重ね合わせ面を全面的に密着してなることを特徴とする立体表示体。
【請求項３】
立体表示部は、一対の重ね合わせ面を形成するシートの対接部分に、立ち上がり折り部とこれに連続するスリットで形成したことを特徴とする請求項１または請求項２記載の立体表示体。
【発明の詳細な説明】
【０００１】
【発明の属する技術分野】
本発明は、シートを折り部で折り重ねてなり、所定の重ね合わせ面を見開くと、立体表示部が立体的に起立する封書、カードなどの立体表示体に関する。
【０００２】
【従来の技術】
従来において、開封すると立体化紙片を取り出すことができる封書（例えば、特許文献１参照）や開封した後に立体化可能な封書（例えば、特許文献２参照）は知られている。そして、これら従来例では、所定の二紙片を直角に開いて、立体化紙片とするものであるが、立体的に立ち上がる紙片の重ね合わせ面をはじめとする各重ね合わせ面は、単に重なり合うに過ぎないものである。
【０００３】
【特許文献１】
特開平９−７１０６８号公報（第３−４頁、図４，図５）
【特許文献２】
特開平１１−１０５４６６号公報（第３−４頁、図４）
【０００４】
【発明が解決しようとする課題】
このため、従来においては、重ね合わせ面が離反状態にあるので、封書として嵩張ったものになり、郵送時などに取り扱いにくいほか、封書以外の用途には適用できないという不都合がある。本発明は、このような従来の不都合を解消した立体表示体を提供することを目的とする。
【０００５】
【課題を解決するための手段】
この目的を達成するために、本発明の請求項１に係る立体表示体は、シートを折り部で折り重ねてなり、開封して所定の重ね合わせ面を見開くと、立体的に起立する立体表示部を有し、各重ね合わせ面の前記立体表示部に対応する部分を密着してなるものである。
【０００６】
また、本発明の請求項２に係る立体表示体は、シートを折り部で折り重ねてなり、開封して所定の重ね合わせ面を見開くと、立体的に起立する立体表示部を有し、各重ね合わせ面を全面的に密着してなるものである。
【０００７】
さらに、本発明の請求項３に係る立体表示体は、上記請求項１または請求項２の構成において、立体表示部を、一対の重ね合わせ面を形成するシートの対接部分に、立ち上がり折り部とこれに連続するスリットで形成したものである。
【０００８】
【発明の実施の形態】
以下、本発明を封書に適用した場合の好適な実施の形態を添付図面に基づいて詳細に説明する。ここにおいて、図１は立体表示部を有する封書を作成するためのシートの平面図、図２はその裏面側を示す平面図、図３は作成した封書の斜視図、図４はそのＡ−Ａ線断面図、図５はその見開き状態を示す斜視図である。
【０００９】
図１及び図２に示すように、封書作成用シート１は、ジグザグ状に四つ折りするための等間隔に設けた折り用ミシン目２，３，４で、第１紙片５、第２紙片６、第３紙片７、第４紙片８に区画されてなる。前記第２紙片６と前記第３紙片７には、折り用ミシン目３を対称軸として対称で前記折り用ミシン目３側には立ち上がり折り部たる折り用ミシン目９ａ，９ｂを有する一対のかまぼこ型の立体表示部１０ａ，１０ｂを、前記各折り用ミシン目９ａ，９ｂとこれに連続するスリット１１ａ，１１ｂで区画形成している。前記立ち上がり折り部は、各折り用ミシン目９ａ，９ｂのように何らかの加工を施して形成するほか、前記立体表示部１０ａ，１０ｂが立ち上がる際の折り部となる限り、特に加工を施さなくてもよいものである。
【００１０】
図１に示すように、第１紙片５の表面側は宛名表示面となり、宛名情報１２と、封書を開封するために重ね合わせ面の剥離開始位置を指示する剥離開始端指示情報１３とを表示する一方、第４紙片８の表面側は差出人表示面となり、差出人情報１４を表示している。また、図２に示すように、第２紙片６と第３紙片７における立体表示部１０ａ，１０ｂの裏面側には、文字、図柄などからなる立体表示情報１５ａ，１５ｂを表示している。前記第２紙片６の裏面側に重ね合わされる第１紙片５の裏面側及び前記第３紙片７の裏面側に重ね合わされる第４紙片８の裏面側における前記立体表示部１０ａ，１０ｂに対応する部分には、それぞれ文字、図柄などからなる表出情報１６ａ，１６ｂを表示している。
【００１１】
図４で理解できるように、第２紙片６と第３紙片７の重ね合わせ面側である各表面側には、各立体表示部１０ａ，１０ｂの各折り用ミシン目９ａ，９ｂとは反対側の部分に、所定範囲２２ａ，２２ｂ（図１に示す仮想線とスリット１１ａ，１１ｂに囲まれた部分）に及んで接着後に剥離困難な感圧性強接着剤１７を塗布し、その他の部分には接着後に剥離可能な感圧性弱接着剤１８を塗布している。また、第１紙片５と第２紙片６の重ね合わせ面側である各裏面側及び第３紙片７と第４紙片８の重ね合わせ面側である各裏面側には、それぞれ各立体表示部１０ａ，１０ｂの外側に対応する部分に、接着後に剥離困難な感圧性強接着剤１９を塗布し、前記各立体表示部１０ａ，１０ｂに対応する部分には接着後に剥離可能な感圧性弱接着剤２０を塗布してなる。
【００１２】
本実施形態の封書作成用シート１は、以上のように構成したので、各折り用ミシン目２，３，４で、第１紙片５の宛名表示面である表面側と、第４紙片７の差出人表示面である表面側とが表出するように、ジグザグ状に折り重ねると、感圧性強接着剤１７，１９を塗布した部分は剥離困難に、感圧性弱接着剤１８，２０を塗布した部分は剥離可能に接着した、図３及び図４に示す立体表示部１０ａ，１０ｂを有する封書２１となる。そして、この各重ね合わせ面が全面的に接着した封書２１は、通常の封書と同様に使用可能である。
【００１３】
この封書２１を受領した者は、剥離開始端指示情報１３にしたがって、第２紙片６と第３紙片７との重ね合わせ面を剥離するように、前記第２紙片６を第１紙片５とともに前記第３紙片７から捲り上げると、感圧性弱接着剤１８，２０を塗布した重ね合わせ面は剥離されるが、感圧性強接着剤１７，１９を塗布した重ね合わせ面は剥離されずに、接着状態を維持する。
【００１４】
したがって、図５に示すように、スリット１１ａ，１１ｂの外側部分は剥離されて、封書２１は見開き状態になって開封される一方、前記スリット１１ａ，１１ｂの内側部分である一対の立体表示部１０ａ，１０ｂは、上端側の所定範囲２２ａａ，２２ｂが感圧性強接着剤１７によって接着されて離反しないので、折り用ミシン目９ａ，９ｂ部分から立体的に立ち上がることになる。これによって、第２紙片６及び第３紙片７の立体表示部１０ａ，１０ｂの裏面側に設けた立体表示情報１５ａ，１５ｂが表出し、また、第１紙片５と第４紙片８の裏面側に表示した表出情報１６ａ，１６ｂも表出して、視認可能になる。
【００１５】
なお、本発明は、上述の実施形態に限定されるものではなく、例えば、一対の立体表示部１０ａ，１０ｂの形状は、立体表示情報１５ａ，１５ｂに関連した形状にするなど、図示したかまぼこ型に限らない。また、各重ね合わせ面が全面的に接着している必要はなく、立体表示部１０ａ，１０ｂに対応する部分が密着状態にあればよい。さらに、シートは四つ折りに限らず、三つ折でもよい。またさらに、本発明は、封書２１以外に、各種情報を伝達するカードにも適用可能なものである。
【００１６】
【発明の効果】
以上のように、本発明の請求項１に係る立体表示体によれば、所定の重ね合わせ面を見開き状態にすると、立体表示部が立体的に起立するので、見る者の興味を引いて情報伝達効果が向上するほか、他人には知られたくない情報も伝達でき、また、重ね合わせ面における立体表示部に対応する部分が密着しているので、嵩張らないとともに、取り扱いやすいという効果を奏する。
【００１７】
また、本発明の請求項２に係る立体表示体によれば、所定の重ね合わせ面を見開き状態にすると、立体表示部が立体的に起立するので、見る者の興味を引いて情報伝達効果が向上するほか、他人には知られたくない情報も伝達でき、また、各重ね合わせ面は全て密着しているので、より嵩張らず、取り扱いもさらに容易になるという効果を奏する。
【００１８】
さらに、本発明の請求項３に係る立体表示体によれば、上記請求項１または請求項２の効果に加えて、各種形状の立体表示部を形成することができるので、見る者の興味をより強く引くことができ、情報伝達効果がさらに向上するという効果を奏する。
【図面の簡単な説明】
【図１】封書作成用シートの平面図。
【図２】同シートの裏面側を示す平面図。
【図３】封書の斜視図。
【図４】図３のＡ−Ａ線断面図。
【図５】封書の見開き状態を示す斜視図。
【符号の説明】
１      封書作成用シート
２，３，４      折り用ミシン目
５      第１紙片
６      第２紙片
７      第３紙片
８      第４紙片
９ａ，９ｂ      折り用ミシン目
１０ａ，１０ｂ      立体表示部
１１ａ，１１ｂ      スリット
１５ａ，１５ｂ      立体表示情報
１６ａ，１６ｂ      表出情報
１７，１９      感圧性強接着剤
１８，２０      感圧性弱接着剤
２１      封書
【図１】
2004237486.tif 000003
【図２】
2004237486.tif 000004
【図３】
2004237486.tif 000005
【図４】
2004237486.tif 000006
【図５】
2004237486.tif 000007